【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
１つまたは複数のコンピューティングデバイスが実行する方法であって、
環境内の複数の特徴を表す感知された情報を受けるステップと、
最終ポリシー情報を提供するために、前記感知された情報を１つまたは複数の最終ポリシーと関連付けるステップであって、前記最終ポリシー情報は、前記環境内の少なくとも１つのオブジェクトに関係し、前記環境により、少なくとも部分的に指定される、関連付けるステップと、
許可情報を集合的に提供するために、前記最終ポリシー情報に少なくとも基づき、１つまたは複数のアプリケーションに適用する許可を識別するステップと、
前記許可情報に少なくとも基づき、前記１つまたは複数のアプリケーションの挙動を調節するステップと
を含み、調節する前記ステップは、
フィルタ済イベントを提供するステップであって、前記フィルタ済イベントは、前記環境から取得された情報を表し、個人情報の存在を減らすようにフィルタリングされたものである、ステップと、
前記フィルタ済イベントを単一のアプリケーションに送るステップと
を含み、前記フィルタ済イベントは、前記環境から取得された前記情報の部分を編集することによって生成された、方法。
【請求項２】
請求項１に記載の方法であって、関連付ける前記ステップは、
前記環境内の物理的エンティティの存在を識別するステップと、
単一の最終ポリシーを前記物理的エンティティに少なくとも基づき決定するステップと
を含む、方法。
【請求項３】
請求項１に記載の方法であって、関連付ける前記ステップは、
前記環境内で生じた感知されたイベントを識別するステップと、
単一の最終ポリシーを前記感知されたイベントに少なくとも基づいて決定するステップと
を含む、方法。
【請求項４】
請求項１に記載の方法であって、関連付ける前記ステップは、
前記環境内の明示的なポリシー指定特徴を識別するステップと、
単一の最終ポリシーを前記明示的なポリシー指定特徴に少なくとも基づいて識別するステップと
を含む、方法。
【請求項５】
請求項１に記載の方法であって、関連付ける前記ステップは、少なくとも１つの最終ポリシーについて、前記少なくとも１つの最終ポリシーが有効かどうかを判定するステップを含む、方法。
【請求項６】
請求項１に記載の方法であって、関連付ける前記ステップは、
前記環境内の特定のオブジェクトに関連付けられた１つまたは複数の候補ポリシーのセットを決定するステップと、
１つまたは複数の候補ポリシーの前記セットから単一の最終ポリシーを選択するステップと
を含む、方法。
【請求項７】
請求項６に記載の方法であって、選択する前記ステップは、前記単一の最終ポリシーとして、前記セット内で最も制限的な単一の候補ポリシーを選択するステップを含む、方法。
【請求項８】
請求項６に記載の方法であって、選択する前記ステップは、前記セット内の少なくとも１つの他のポリシーを上書きするために、ユーザー固有のポリシーを使用するステップを含む、方法。
【請求項９】
請求項８に記載の方法であって、選択する前記ステップは、前記少なくとも１つの他のポリシーが必須と指定されているかどうかの判定に少なくとも部分的に基づく、方法。
【請求項１０】
請求項６に記載の方法であって、選択する前記ステップは、２つ以上の候補ポリシーから選択するようユーザーを促すステップを含む、方法。
【請求項１１】
請求項１に記載の方法であって、少なくとも１つの最終ポリシーは、少なくとも１つのアプリケーションの挙動を、明示的なモード変更イベントが発生するまで調節する、方法。
【請求項１２】
請求項１に記載の方法であって、少なくとも１つの最終ポリシーは、少なくとも１つのアプリケーションの挙動を、前記少なくとも１つの最終ポリシーに関連付けられたキューが前記環境内で検出されている限りは調節する、方法。
【請求項１３】
請求項１に記載の方法であって、調節する前記ステップは、別の単一のアプリケーションが、前記環境から取得された情報を表す別のイベントを受けることを不可能にするか又は許可するステップを含む、方法、
【請求項１４】
請求項１に記載の方法であって、前記フィルタ済イベントはビデオ情報を表し、前記編集することは、認識されたオブジェクトを前記ビデオ情報から除去することを含む、方法。
【請求項１５】
請求項１４に記載の方法であって、前記認識されたオブジェクトは、前記ビデオ情報に現れる人の顔である、方法。
【請求項１６】
請求項１に記載の方法であって、調節する前記ステップは、前記単一のアプリケーションが他のエンティティとの共有を許可されたデータ・アイテムを、前記許可情報に少なくとも基づいて決定するステップを含む、方法。
【請求項１７】
請求項１に記載の方法であって、調節する前記ステップは、別の単一のアプリケーションが１つまたは複数の出力デバイスに送ることを許可された出力情報を、前記許可情報に少なくとも基づいて決定するステップを含む、方法。
【請求項１８】
１つまたは複数の処理デバイスと、
命令を記憶した１つまたは複数のコンピューター可読記憶媒体であって、前記命令は、前記１つまたは複数の処理デバイスにより実行されると、前記１つまたは複数の処理デバイスに、
候補ポリシー情報を提供するために、環境を感知することによって取得された感知された情報を、１つまたは複数の候補ポリシーにマッピングするステップであって、前記候補ポリシー情報は、前記環境内の認識されたオブジェクトに適用され、前記認識されたオブジェクトは、感知された前記環境に同時に現れる、第１の認識されたオブジェクトと第２の認識されたオブジェクトとを含む、ステップと、
前記第１の認識されたオブジェクトに対する第１の最終ポリシーと、前記第２の認識されたオブジェクトに対する第２の最終ポリシーとを、前記候補ポリシー情報に少なくとも基づいて決定するステップと、
前記第１の認識されたオブジェクトに関する第１のアプリケーションに適用される第１の許可を、前記第１の最終ポリシーに少なくとも基づいて識別するステップと、
前記第２の認識されたオブジェクトに関する第２のアプリケーションに適用される第２の許可を、前記第２の最終ポリシーに少なくとも基づいて識別するステップと、
前記第１の認識されたオブジェクトを、第１の個人情報を除去するために、前記第１の許可に少なくとも基づきフィルタリングし、前記第２の認識されたオブジェクトを、第２の個人情報を除去するために、前記第２の許可に少なくとも基づきフィルタリングするステップと
を実行させる、１つまたは複数のコンピューター可読記憶媒体と
を含むコンピューター実装システム。
【請求項１９】
請求項１８に記載のコンピューター実装システムであって、前記第１の個人情報はテキストを含み、前記第２の個人情報は画像情報を含む、コンピューター実装システム。
【請求項２０】
複数のアプリケーションと、
１つまたは複数の環境感知機構であって、環境を感知し、感知された前記環境を特徴づける生の知覚特徴を取得するよう構成された１つまたは複数の感知機構と、
１つまたは複数の処理デバイスと、
命令を記憶した１つまたは複数のコンピューター可読記憶媒体であって、前記命令は、前記１つまたは複数の処理デバイスにより実行されると、前記１つまたは複数の処理デバイスに、
感知された前記環境を特徴づけるイベントを受けるために、サブスクリプション要求を個々のアプリケーションから受けるステップと、
前記生の知覚特徴を処理して、感知された前記環境に存在する様々な認識されたオブジェクトを識別し、感知された前記環境を特徴づける前記イベントを取得するステップと、
前記様々な認識されたオブジェクトに関連付けられた様々なポリシーを識別するステップであって、前記様々なポリシーは、様々なアプリケーションに対する様々な許可を有する、ステップと、
前記１つまたは複数の環境感知機構が前記環境を感知し続ける間、前記イベントを、前記様々な許可と矛盾しないように、個人情報を除去するようにフィルタリングするステップと、
フィルタリングされた前記イベントを前記様々なアプリケーションに転送するステップと
を実行させる、１つまたは複数のコンピューター可読記憶媒体と
を含むコンピューティング・システム。